(57)【要約】      （修正有）【課題】使用者が自宅の敷寝具で使用する際に、簡単な作業で自分の頸部深度に合うように設定できるまくらを提供する。【解決手段】２枚の布地を重ねた状態にして縫い合わせて複数の長尺な補助芯部を長辺同士が並列となる配置で一列に連続するように設けた縫成体と前記各補助芯部に収容されて隆起させる複数のクッション体とを有し、表裏一方の面において、一端側補助芯部の長手方向に沿う外側縁部の両端に１対の第１留め具が上側を係合面として対向して設けられているベースマット２と、厚みのあるシート材で構成され、一端の第１縁部が前記ベースマット２の前記一端側補助芯部の長手方向に沿う外側縁部に対向している縁部に係合されて前記ベースマット２に一体化され、表裏一方の面において、前記第１縁部の交差方向の第２及び第３縁部に前記第１留め具に係合する複数の第２留め具が上側を係合面として離間して設けるトップシート３と、を備える構成とした。【選択図】図１
2011011053.tif 000002
【特許請求の範囲】
【請求項１】
２枚の布地を重ねた状態にして縫い合わせて複数の長尺な補助芯部を長辺同士が並列となる配置で一列に連続するように設けた縫成体と前記各補助芯部に収容されて隆起させる複数のクッション体とを有し、表裏一方の面において、一端側補助芯部の長手方向に沿う外側縁部の両端に１対の第１留め具が上側を係合面として対向して設けられているベースマットと、
厚みのあるシート材で構成され、一端の第１縁部が前記ベースマットの前記一端側補助芯部の長手方向に沿う外側縁部に対向している縁部に接合又は係合されて前記ベースマットに一体化され、表裏一方の面において、前記第１縁部の交差方向の第２及び第３縁部に前記第１留め具に係合する複数の第２留め具が上側を係合面として離間して設けられているトップシートと、
から構成されていることを特徴とするまくら。
【請求項２】
前記ベースマットと前記トップシートの接合又は係合される前記各縁部の一方には、前記第１留め具が複数離間して設けられ、前記一方に対する他方には、前記第２留め具が複数離間して設けられ、前記トップシートは、前記第１留め具と第２留め具が係合されて前記ベースマットに一体化されている
ことを特徴とする請求項１に記載のまくら。
【請求項３】
前記トップシートの外側から前記ベースマットを前記トップシートとともに巻き留めする巻き留めシーツを有し、
該巻き留めシーツは、布地からなり、一端の縁部の中央近傍に離間して二つ折りした紐が取り付けられている
ことを特徴とする請求項１又は２に記載のまくら。
【発明の詳細な説明】
【技術分野】
【０００１】
本発明は、頸部を安定させて首が前傾しないようにし、睡眠中に首、肩、腰の動きを自由にさせて寝返りを行いやすくすることで、睡眠中の疲れが身体の一部に集中しないようにして良好な睡眠状態を得る、首に宛うようにしたまくらに関する。
【背景技術】
【０００２】
例えば、特開平１０−１３７０９５号公報の首まくらは、頸椎部のズレを矯正するため頸部に宛うまくらで、円筒形まくら本体の外周面にクッション体を被包し、当該外周面を変形した頸椎部を載置する頸部載置面とし、左右方向に肩幅間隔で延在するとともに、円筒形まくら本体の高さを１１ｃｍ前後に形成し、後方に垂下した後頭部を床面から離間した状態で保持するように形成されたものである。（特許文献１参照）
【先行技術文献】
【特許文献】
【０００３】
【特許文献１】特開平１０−１３７０９５号公報
【発明の概要】
【発明が解決しようとする課題】
【０００４】
上記首まくらは、販売店で購入するときに個人の頸部深度に合った高さのものが購入できるが、自宅の敷寝具で使用する際に自分の頸部深度に合わない場合や、使用者の体重の増減により体型が変化して自分の頸部深度に合わなくなってきた場合に、自分の頸部深度に合うように設定することができないため、首に宛うようにしたまくらの改善が望まれている。
【０００５】
本発明は、上記課題を解決するために、使用者が自宅の敷寝具で使用する際に、簡単な作業で自分の頸部深度に合うように設定できるまくらを提供することを目的とする。
【課題を解決するための手段】
【０００６】
上記課題を解決するために請求項１に記載の発明は、２枚の布地を重ねた状態にして縫い合わせて複数の長尺な補助芯部を長辺同士が並列となる配置で一列に連続するように設けた縫成体と前記各補助芯部に収容されて隆起させる複数のクッション体とを有し、表裏一方の面において、一端側補助芯部の長手方向に沿う外側縁部の両端に１対の第１留め具が上側を係合面として対向して設けられているベースマットと、厚みのあるシート材で構成され、一端の第１縁部が前記ベースマットの前記一端側補助芯部の長手方向に沿う外側縁部に対向している縁部に接合又は係合されて前記ベースマットに一体化され、表裏一方の面において、前記第１縁部の交差方向の第２及び第３縁部に前記第１留め具に係合する複数の第２留め具が上側を係合面として離間して設けられているトップシートと、から構成されていることを特徴とするまくらである。
【０００７】
また、請求項２に記載の発明は、前記ベースマットと前記トップシートの接合又は係合される前記各縁部の一方には、前記第１留め具が複数離間して設けられ、前記一方に対する他方には、前記第２留め具が複数離間して設けられ、前記トップシートは、前記第１留め具と第２留め具が係合されて前記ベースマットに一体化されていることを特徴とする請求項１に記載のまくらである。
【０００８】
また、請求項３に記載の発明は、前記トップシートの外側から前記ベースマットを前記トップシートとともに巻き留めする巻き留めシーツを有し、該巻き留めシーツは、布地からなり、一端の縁部の中央近傍に離間して二つ折りした紐が取り付けられていることを特徴とする請求項１又は２に記載のまくらである。
【発明の効果】
【０００９】
本発明では、使用者が自宅の敷寝具で使用する際に、簡単な作業で自分の頸部深度に合うように設定することができる。
【図面の簡単な説明】
【００１０】
【図１】（ａ）（ｂ）は、本発明の実施例に係るまくらを枕カバーに横又は縦に収納した状態を示す一部切欠斜視図である。
【図２】図１のまくらの分解斜視図である。
【図３】（ａ）は、図１のまくらにおけるベースマットの平面図、（ｂ）は、側面図である。
【図４】図３のベースマットの内部に収容されるクッション体の斜視図である。
【発明を実施するための形態】
【００１１】
以下、図面に基づいて本発明の実施の形態を説明する。
【実施例１】
【００１２】
図１（ａ）（ｂ）は、本発明の実施例に係るまくらを枕カバーに横又は縦に収納した状態を示す一部切欠斜視図、図２は、図１のまくらの分解斜視図、図３（ａ）は、図１のまくらにおけるベースマットの平面図、図３（ｂ）は、側面図、図４は、図３のベースマットの内部に収容されるクッション体の斜視図である。
【００１３】
図１〜図４において、まくら１は、ベースマット２と、トップシート３、巻き留めシーツ４とから構成されている。まくら１は、枕カバー５に収納して使用してもよいが、枕カバー５に収納しなくても差し支えない。
【００１４】
また、ベースマット２とトップシート３は巻かれた状態で簡単な巻き留めができるので、枕カバー５に収納して使用する場合、巻き留めシーツ４を使用しなくても差し支えない。
【００１５】
ベースマット２は、綿ポリエステル（例えば、綿８０％、ポリエステル２０％）からなる長方形の２枚の布地を上下に重ねた状態にして、端部から５ｍｍ程度内側の位置で各辺に沿って縫い合わせて長方形の四角枠の縫い目２０を縫成するとともに、長手方向に沿う複数（図２では３つ）の直線状の縫い目２２ａ，２３ａ，２４ａを適宜の間隔で設け、複数（図２では４つ）の長尺な補助芯部２１，２２，２３，２４を長辺同士が並列となる配置で一列に連続するように設けた縫成体１２を使用している。
【００１６】
そして、縫成体１２の補助芯部２１，２２，２３，２４のそれぞれに太さの異なるクッション体１３を収容して、隆起させている。これらの補助芯部２１，２２，２３，２４は、長辺同士が並列となる配置で一列に連続し、各補助芯部２１，２２，２３，２４同士が並行に重なる方向に湾曲させることが可能である。
【００１７】
各クッション体１３は、長方形の布袋１３ａにポリエステル１００％の縫い糸を使用して縫成し、粒状ウール（粒状キャメルウール、シルクの綿でもよい。）を充填したものである。各クッション体１３は、それぞれが異なる適宜の量（例えば、５０ｇ〜８０ｇの範囲の量）の粒状ウールを充填しており、図３（ｂ）に示すように、ベースマット２は、各補助芯部２１，２２，２３，２４の径の大きさが異なっている。しかしながら、各クッション体１３に充填する粒状ウールの量は、不均一にする必要がなければ全て同一にして、各補助芯部２１，２２，２３，２４の径を均一にしてもよい。
【００１８】
また、ベースマット２は、一面において、短手方向の一端側の補助芯部２１の長手方向に沿う外側縁部２１ａ、及び他端側の補助芯部２４の長手方向に沿う外側縁部２５ａに複数（図２では４つ）の第１留め具６ａが下側を係合面として離間して設けられるとともに、外側縁部２１ａの両端の位置に第１留め具６ａが上側を係合面として設けられている。外側縁部２１ａと外側縁部２５ａは対向しており、外側縁部２１ａ及び外側縁部２５ａの各第１留め具６ａ同士は対向した配置となっている。
【００１９】
また、ベースマット２は、一面において、短手方向の他端側の補助芯部２１と、これと隣接する補助芯部２２との間の直線状の縫い目２２ａの両端の位置（図３では両端近傍の位置）、及び補助芯部２２と、これと隣接する補助芯部２３との間の直線状の縫い目２３ａの両端の位置（図３では補助芯部２１の縁部２１ａの交差方向の両端近傍の両側縁部の位置）に第１留め具６ａが下側を係合面として対向して設けられている。
【００２０】
トップシート３は、ベースマット２と同様に綿ポリエステル（例えば、綿８０％、ポリエステル２０％）からなる厚みのある長方形のシート材で構成されている。このシート材は、２枚の布地を重ねた状態で表地と裏地の間に薄い綿を入れて縫い合わせて形成されたもので、同様な構成の市販のキルト材を使用することができる。トップシート３は、長辺３ａの寸法がベースマット２の長辺２ａと略同一の長さであり、長辺３ａの交差方向の各短辺３ｂの寸法がベースマット２の短辺２ｂより多少長く形成されている。
【００２１】
トップシート３は、一面における長辺３ａに沿う第１縁部３１において、ベースマット２の外側縁部２５ａに取り付けられた複数の第１留め具６ａと一致する位置に、第１留め具６ａに着脱可能に係合する同数の第２留め具６ｂが上側を係合面として離間して設けられるとともに、各短辺３ｂに沿う第２縁部３２及び第３縁部３３の各中央近傍に第２留め具６ｂが上側を係合面として離間して設けられ、第２縁部３２及び第３縁部３３の各第２留め具６ｂ同士は、対向した配置となっている。
【００２２】
トップシート３は、長辺３ａに沿う第１縁部３１の複数の第２留め具６ｂに、ベースマット２の長辺２ａに沿う補助芯部２４の外側縁部２５ａに設けられた複数の第１留め具６ａが係合されて、長辺３ａがベースマット２の長辺２ａに取り付けられる。そして、トップシート３は、ベースマット２の外側に巻かれてベースマット２の上部を覆うものである。この場合、ベースマット２の他端側補助芯部２１の外側縁部２１ａに設けられた複数の第１留め具６ａを、トップシート３の第１縁部３１の複数の第２留め具６ｂに係合することもできる。
【００２３】
巻き留めシーツ４は、長辺４ａ、短辺４ｂを有する長方形の布地からなり、短辺４ｂに沿う縁部４ｃの中央近傍に二つ折りした２本の紐７，７を離間して取り付けた構成であり、各紐７，７は、折り目７ａの近傍が縁部４ｃに縫着されている。
【００２４】
次に、まくら１を組み立てる手順を説明する。まくら１を組み立てる場合、先ず、ベースマット２の長辺２ａに沿う補助芯部２４の外側縁部２５ａに設けられた複数の第１留め具６ａを、トップシート３の長辺３ａに沿う第１縁部３１に設けられた複数の第２留め具６ｂに係合して、ベースマット２に並列に連続するようにトップシート３を取り付ける。
【００２５】
次に、ベースマット２を二つ折りに湾曲させて、ベースマット２の長辺２ａに沿う補助芯部２１の外側縁部２１ａの両端に設けられた１対の第１留め具６ａを、トップシート３の各短辺３ｂに沿う第２及び第３縁部３２，３３に設けられた複数の第２留め具６ｂのいずれかに係合して、ベースマット２が複数の補助芯部２１，２２，２３，２４を二つ折り状態に保持させる。
【００２６】
クッション体１３は、縫成体１２の補助芯部２１，２２，２３，２４に収容して使用するだけでなく、ベースマット２を二つ折りに湾曲させたときに形成される巻き部分の中心にクッション体１３を挿入して、まくらの高さ調整用の補助カセッットとして利用することができる。そして、二つ折りに湾曲させたベースマット２を補助カセッットとなるクッション体１３と共に複数の補助芯部２１，２２，２３，２４が並列に重なるようにして巻いて、ベースマット２の短辺２ｂに沿う側縁部の複数の第１留め具６ａを、トップシート３の第２縁部３２及び第３縁部３３に設けられた複数の第２留め具６ｂに係合して巻き留めする。尚、まくらの高さを高くしたくない場合は、クッション体１３を補助カセッットとして利用する必要はない。
【００２７】
次に、ベースマット２を中心とし、外側にトップシート３を巻いた巻物を巻き留めシーツ４の上面に載置し、巻物の外側から巻き留めシーツ４を巻いて、各紐７，７の各二つ折り先端部同士を結んで巻き留めしてまくら１を完成させる。
【００２８】
こうして組み立てたまくら１は、ベースマット２に各々違う太さに設定した４本のクッション体１３を採用することで、使用者の頸部の深さに対応できるものである。まくら１は、ベースマット２にトップシート３を取り付けて、重ねたり、丸めたりして使用者自らが本人の頸部に合わせることが出来る。使用に際しては出来上がった形状維持のために，巻き留めシーツ４で被い、枕カバ―５をかけて使用する。
【００２９】
枕カバー５は、長方形の２枚の布地を上下に重ねて端部から５ｍｍ程度内側の位置で各辺に沿って縫い合わせて開口５ａを設けてなる袋状のものであり、まくら１を開口５ａから図１（ａ）に示すように横に収納したり、又は、まくら１を開口５ａから図１（ｂ）に示すように縦に収納して使用する。
【００３０】
まくら１は、例えば、頸部深度３ｃｍから１０ｃｍの範囲で頸部を支える構造とすれば、睡眠中に頸部にかかる負担を軽減するとともに、睡眠中の寝返りを容易にする。神経が通る頸部を守るために主素材に粒状ウールの性質（ウールの吸湿性、放湿性）を利用する事で、首周りの温度変化に対応出来る。また、粒状ウールは耐洗濯性があり枕の洗濯を可能にする。まくら１は、簡単に４分割できるので家庭の洗濯機で、洗濯できるし、使用者が自分の首の高さに合わせて調節できるので実用性がある。
【実施例２】
【００３１】
図５は、本発明の実施例２に係るまくらの分解斜視図である。
【００３２】
実施例２のまくら４０は、実施例１におけるベースマット２とトップシート３とを兼ねたまくらシート４１と、枕カバー５とから構成されている。まくら４０は、枕カバー５に収納して使用してもよいが、枕カバー５に収納しなくても差し支えない。まくらシート４１は、実施例１におけるベースマット２と略同様の構成のベースマット部４２と、実施例１におけるトップシート３と略同様の構成のトップシート部４３が一体化されたものである。
【００３３】
ベースマット部４２は、実施例１における縫成体１２と略同様の構成の縫成体部４４を有している。縫成体部４４は、４つの長尺な補助芯部５１，５２，５３，５４を長辺同士が並列となる配置で一列に連続するように設けられた構成である。補助芯部５１，５２，５３，５４には、実施例１と同様に太さの異なるクッション体１３を収容して隆起させている。しかしながら、各クッション体１３を全て同一の太さにして、各補助芯部５１，５２，５３，５４の径を均一にしても差し支えない。
【００３４】
ベースマット部４２は、一端側補助芯部５１から補助芯部５２，５３，５４が奥側に連続し、一端側補助芯部５１の長辺に沿う縁部５１ａと、一端側補助芯部５１に対する他端側に補助芯部５４の長辺に沿う奥側縁部５４ａが並列に対向しており、奥側縁部５４ａがトップシート部４３との接続部となっている。
【００３５】
ベースマット部４２は、一面において、縁部５１ａの両端に一対の第１留め具６ａが上側を係合面として設けられている。そして、補助芯部５１の縁部５１ａの交差方向の両側縁部４２ａ，４２ｂには、各補助芯部５１，５２，５３，５４の境目近傍及び奥側縁部５４ａの両端の各位置に複数の第１留め具６ａが下側を係合面として離間して設けられている。
【００３６】
トップシート部４３は、長辺に沿う第１縁部６１がベースマット部４２との接続部となっており、第１縁部６１にベースマット４２の奥側縁部５４ａを重ねた状態で縫合又は接着により接合され、ベースマット４２と一体化したまくらシート４１に形成されている。
【００３７】
トップシート部４３は、各短辺４３ａ，４３ｂに沿う第２縁部６２及び第３縁部６３に沿って複数の第２留め具６ｂが上側を係合面として離間して設けられている。第２縁部６２と第３縁部６３は対向しており、第２縁部６２及び第３縁部６３の各第２留め具６ｂ同士は、対向した配置となっている。
【００３８】
次に、まくら４０を組み立てる手順を説明する。まくら４０を組み立てる場合、先ず、まくらシート４１のベースマット部４２を二つ折りに湾曲させて、ベースマット部４２の一端側補助芯部５１の長辺に沿う縁部５１ａの外側縁部５１ａの両端に設けられた１対の第１留め具６ａを、トップシート部４３の各短辺４３ａ，４３ｂに沿う第２縁部６２及び第３縁部６３に設けられた複数の第２留め具６ｂのいずれかに係合して、ベースマット４２の複数の補助芯部５１，５２，５３，５４を二つ折り状態に保持させる。
【００３９】
そして、クッション体１３を補助カセッットとして利用する場合は、ベースマット４２を二つ折り状態に保持させたときに形成される巻き中心の部分にクッション体１３を挿入して、まくらの高さが高くなるように調整して、ベースマット４２をクッション体１３と共に複数の補助芯部５１，５２，５３，５４が並列に重なるようにして巻いて、ベースマット４２の側縁部４２ａ，４２ｂに設けられた複数の第１留め具６ａを、トップシート３の第２縁部６２及び第３縁部６３に設けられた複数の第２留め具６ｂに係合して巻き留めし、まくら４０を完成させる。
【００４０】
こうして組み立てたまくら４０は、枕カバー５の開口５ａから縦又は横に収納して使用することができる。
【００４１】
なお、実施例１，２において、まくらは、ベースマット、トップシート、巻き留めシーツ、枕カバーを全て長方形のもので構成した例を説明したが、これらは、三角形、正方形、五角形以上の多角形であってもよい。
【００４２】
１，４０  まくら
２  ベースマット
２ａ，３ａ，４ａ  長辺
２ｂ，３ｂ，４ｂ，４３ａ，４３ｂ  短辺
３  トップシート
４  巻き留めシーツ
４ｃ  短辺に沿う縁部
５  枕カバー
５ａ  開口
６ａ  第１留め具
６ｂ  第２留め具
７  紐
７ａ  折り目
１３  クッション体
１３ａ  長方形の布袋
２０  四角枠の縫い目
２１，２２，２３，２４，５１，５２，５３，５４  補助芯部
２１ａ，２５ａ  外側縁部
２２ａ，２３ａ，２４ａ  直線状の縫い目
３１，６１  第１縁部
３２，６２  第２縁部
３３，６３  第３縁部
４１  まくらシート
４２  ベースマット部
４３  トップシート部
４４  縫成体部
４２ａ，４２ｂ，５１ａ  縁部
５４ａ  奥側縁部
【図１】
2011011053.tif 000003
【図２】
2011011053.tif 000004
【図３】
2011011053.tif 000005
【図４】
2011011053.tif 000006